(57)【特許請求の範囲】
【請求項１】
ＴＤＤ・ＣＤＭＡ無線通信システムの基地局から移動局への通信方法において、
前記基地局と前記移動局との間の無線通信で用いる通信フレームの任意のタイムスロットで用いられる前記基地局と通信する前記移動局の拡散符号に関する情報を前記基地局から前記移動局に通知するために、
前記移動局の拡散符号に関する情報に予め対応づけられた値に基づき、前記基地局と前記移動局との間の通信チャネルの評価に用いる制御データを選択する選択ステップと、
前記選択ステップで選択された制御データを前記移動局に送信する送信ステップと、
前記送信ステップで基地局から送信された制御データを受信する受信ステップと、
前記受信ステップで受信された制御データに基づき、前記通信チャネルの評価を行う評価ステップと、
前記受信ステップで受信された制御データに基づき、前記タイムスロットで用いられる前記移動局の拡散符号に関する情報を認識する認識ステップと
を有することを特徴とするＴＤＤ・ＣＤＭＡ無線通信システムの通信方法。
【請求項２】
制御データは、移動局の拡散符号に関する情報に予め対応づけられた値に基づき、複数の制御データの中から１又は複数が選択される
ことを特徴とする請求項１に記載のＴＤＤ・ＣＤＭＡ無線通信システムの通信方法。
【請求項３】
制御データは、ＴＤＤ・ＣＤＭＡ無線通信システムの基地局と通信する移動局に割り当てられた拡散符号に関する情報を、前記基地局から移動局に通知するときに用いられる送信データを構成する２つのユーザデータの間に設けられるミッドアンブルコードである
ことを特徴とする請求項１に記載のＴＤＤ・ＣＤＭＡ無線通信システムの通信方法。
【請求項４】
複数のミッドアンブルコードのそれぞれは、前記ミッドアンブルコードを形成するための基本となる基本ミッドアンブルコードが繰り返しつなげられた基本ミッドアンブルブロックを用いて形成される
ことを特徴とする請求項３に記載のＴＤＤ・ＣＤＭＡ無線通信システムの通信方法。
【請求項５】
各ミッドアンブルコードは第一の所定長を有し、前記ミッドアンブルコードを形成するための基本となる基本ミッドアンブルコードが繰り返しつなげられた基本ミッドアンブルブロックの所定位置から第二の所定長ずつシフトさせて形成される
ことを特徴とする請求項３に記載のＴＤＤ・ＣＤＭＡ無線通信システムの通信方法。
【請求項６】
基地局と移動局とを有するＴＤＤ・ＣＤＭＡ無線通信システムにおいて、
前記基地局では、
前記基地局と前記移動局との間の無線通信で用いる通信フレームの任意のタイムスロットで用いられる前記基地局と通信する前記移動局の拡散符号に関する情報を前記基地局から前記移動局に通知するために、
前記移動局の拡散符号に関する情報に予め対応づけられた値に基づき、前記基地局と前記移動局との間の通信チャネルの評価に用いる制御データを前記移動局に送信し、
前記移動局では、
前記基地局から送信された制御データを受信し、
前記受信された制御データに基づき、前記通信チャネルの評価を行い、また、
前記受信された制御データに基づき、前記タイムスロットで用いられる前記移動局の拡散符号に関する情報を認識する
ことを特徴とするＴＤＤ・ＣＤＭＡ無線通信システム。
【請求項７】
ＴＤＤ・ＣＤＭＡ無線通信システムの基地局において、
前記基地局と前記移動局との間の無線通信で用いる通信フレームの任意のタイムスロットで用いられる前記基地局と通信する前記移動局の拡散符号に関する情報を前記基地局から前記移動局に通知するために、
前記移動局の拡散符号に関する情報に予め対応づけられた値に基づき、前記基地局と前記移動局との間の通信チャネルの評価に用いる制御データを前記移動局に送信する
ことを特徴とするＴＤＤ・ＣＤＭＡ無線通信システムの基地局。
【請求項８】
ＴＤＤ・ＣＤＭＡ無線通信システムの移動局において、
前記移動局では、
基地局と前記移動局との間の無線通信で用いる通信フレームの任意のタイムスロットで用いられる前記基地局と通信する前記移動局の拡散符号に関する情報を前記基地局から前記移動局に通知するために、
前記移動局の拡散符号に関する情報に予め対応づけられた値に基づき、前記基地局と前記移動局との間の通信チャネルの評価に用いる制御データを、前記基地局から受信し、
前記受信された制御データに基づき、前記通信チャネルの評価を行い、また、
前記受信された制御データに基づき、前記タイムスロットで用いられる前記移動局の拡散符号に関する情報を認識する
ことを特徴とするＴＤＤ・ＣＤＭＡ無線通信システムの移動局。
【発明の詳細な説明】
【０００１】
【発明の属する技術分野】
本発明は、移動通信システムの基地局と交信する移動局に対してそれぞれ割り振られる伝送パラメータを表すワードの伝送方法に関する。
【０００２】
【従来の技術】
本発明は、移動局と交信可能ないくつかの基地局を有する移動通信システムに関する。図１は３つの移動局ＭＳ１、ＭＳ２、ＭＳ３と交信する基地局ＢＴＳを図示する。移動局ＭＳｉから基地局ＢＴＳへの通信はアップリンクＵＬによって行われ、基地局ＢＴＳから移動局ＭＳｉへの通信はダウンリンクＤＬによって行われる。
【０００３】
本発明は、異なるユーザー信号が時間定義域とコード定義域の双方で分離される通信システムとも関係する。このようなシステムの一例はいわゆるＵＭＴＳ  ＴＤＤ(汎用移動通信−時分割多重)システムあるいはＷ−ＣＤＭＡ  ＴＤＤ(Ｗ−符号分割多元接続−時分割多重)システムであり、これらのシステムでは時間定義域はＴＤＤシステム成分によって、コード定義域はＣＤＭＡシステム成分によって表される。
【０００４】
具体的には、伝送は、時間定義域では、Ｎ個(例えばＮ＝１５など)のタイムスロットから構成される無線フレームなどに基づいて編成される。(移動局から基地局への)アップリンクと(基地局から移動局への)ダウンリンクの双方用として同じ周波数が使用される。さらに、時間分離を用いてダウンリンクとアップリンクを区別して１フレーム当たりＮ個の利用可能なタイムスロットから成るサブセットがダウンリンク伝送用として独占的に割り振られ、アップリンク伝送用として残りのタイムスロットが割り振られるようになされる。１つのフレーム内に、少なくとも１つのタイムスロットがダウンリンクとアップリンクの各々に対して常に割り振られる。
【０００５】
このようなシステムでは、別々のタイムスロットで異なるユーザー信号を伝送することができる。例えばＮ個の異なるダウンリンク・タイムスロットがＮ個の異なるダウンリンク・ユーザーの信号に対して割り振られる。これがシステムの時間定義域である。さらに、異なる拡散符号を用いて１つのタイムスロットの範囲内でいくつかのユーザー信号を伝送することができる。これがシステムのコード定義域モードである。
【０００６】
このようなシステムでは、あるエリアのすべての基地局は同期して作動し、一般に同一のアップリンク／ダウンリンク・タイムスロット構成を共有する。
【０００７】
アップリンクとダウンリンクの双方において、図２に例示されているように、ユーザーのデータは、第１のデータ・フィールドＤ１と、一般中間文(midamble)・フィールドＭと、第２のデータ・フィールドＤ２とを有するバーストＢに配列されたタイムスロットで伝送される。中間文とは複素数値化されたチップ・シーケンス(小配列)であり、この中間文は、ユーザーの信号の検索に必要なチャネル評価時に受信装置(アップリンクの基地局ＢＴＳまたはダウンリンクの移動局)によって使用される。
【０００８】
アップリンクでは、特定のタイムスロットで伝送する各移動局の個々のチャネル評価を基地局ＢＴＳが必要とするので、各移動局ＭＳｉは異なる中間文ｍ(i)の送信を行う。
【０００９】
中間文がはっきりと移動局に割り当てられていない場合には、その割り当てられた拡散符号と特定の中間文との間でデフォルトの一定の割り振り規則が用いられることに留意されたい。
【００１０】
図２に図示のダウンリンクでは、一般に、特定のタイムスロットの内のすべてのユーザーの信号用として基地局ＢＴＳはたった１つの中間文ｍ(j)しか使用しない。その理由として、ダウンリンクでは、すべてのユーザーがたった１つのダウンリンク・チャネルを経験し例えば基地局ＢＴＳから自身への評価を行い、同一タイムスロットで伝送するその他のユーザーのダウンリンク・チャネルを無視することが挙げられる。しかし２つ以上のチャネル評価が必要となるような状況では、基地局ＢＴＳによって２つ以上の中間文を使用することができる。この場合、中間文Ｍはこれらすべての中間文の和という結果になる。
【００１１】
ガード期間Ｇを設けて連続するタイムスロットの適切な時間分離を保証することができる。また信号ビットＳの出力を利用することもできる。
【００１２】
アップリンクＵＬでは、移動局ＭＳｉのデータは、複素数値化された１つの拡散符号ａｉ(または複数の拡散符号)によってチップ・レートに合わせて拡散される。これらの拡散符号はシステムによってこの移動局ＭＳｉに作用する。
【００１３】
ダウンリンクＤＬでは、移動局ＭＳｉ用として意図された各データｄｉは、対応する拡散符号ａｉ(図２の１１から１ｋ)によってチップ・レートに合わせて拡散される。これらすべての拡散オペレーションの結果は加算され(２０において)、バースト内に含まれるデータＤ１とＤ２が形成される。
【００１４】
受信装置側でユーザーの信号の検索を行うためにジョイント検出のような高度な検出アルゴリズムを使用する際に問題が生じる。このようなアルゴリズムを実行して、タイムスロットで伝送するすべてのユーザーからのデータ・ビットが受信装置側で同時に復号化され、判定される。このアルゴリズムの最適パフォーマンスを得るために、受信装置はいくつかのパラメータ、特に特定のタイムスロット内に存在するすべてのユーザーの拡散符号とチャネル・プロファイルを知っている必要がある。
【００１５】
一般に、基地局側でこのようなアルゴリズムが実行されるとき、基地局は割り振られた拡散符号に関する情報を得ることができる。なぜなら基地局が属する無線アクセス・ネットワークがそれらの拡散符号の使用状況の制御を行うからである。
【００１６】
しかしこの考慮対象のアルゴリズムがダウンリンクで移動局において実行される場合には状況は全く異なるものとなる。移動局は、同一タイムスロット内に同時に存在するその他のユーザーの信号に対して割り振られたその他の拡散符号については一般に認知していない。この事実は移動局側での(ジョイント検出のような)アルゴリズムの実行に重大な影響を与える。
【００１７】
この問題を解決する１つの第１の可能性は、例えば逆拡散(despreading)と閾値化(thresh-holding)とを行うことにより、いくつかのまたはすべての起こりうる拡散符号が特定のタイムスロットで用いられているかどうかのテストを移動局側で行ういわゆる“ブラインド拡散符号検出”を行うことである。
【００１８】
第２の可能性は、１つの特定のタイムスロット内に存在するすべてのユーザーの信号によって現在使用されているすべての拡散符号を各移動局へ通信することである。この信号伝送を高速にかつわずかに遅延させて行うことが可能な場合にのみこの解決方法は実行可能である。この最後の制約は特に、バースト伝送のデータ・フィールドに含まれているデータビットと共に信号ビットを多重化することによって明確な信号方式を作り出すことを困難にする。
【００１９】
【発明が解決しようとする課題】
本発明は上記問題を解決し、同一タイムスロット内に同時に存在するその他のユーザーの信号に対して割り振られている伝送パラメータ(例えば拡散符号)を移動局が判定する方法を提供することを目的とする。
【００２０】
何らの実質的制約なく行うことができ、従って高速にかつわずかの遅延を伴うだけで実行可能な方法を提供することが、さらなる本発明の目的である。
【００２１】
【課題を解決するための手段】
基地局と交信する各移動局が、移動局に対して作用する中間文または中間文の和を含むバーストでデータを伝送するように、また、中間文または各中間文が移動局と基地局との間のチャネル応答の評価を行うために利用されるように設計された移動通信システムにおいて実行できるような方法を提供することがさらなる本発明の目的である。互いに対してシフトされるそれぞれの所定のウィンドウに属する基本中間文・コードの要素だけを保持することにより、すべての利用可能な中間文は唯一の基本中間文・コードから導き出される。評価は基本中間文・コードに基づいて受信信号をシーケンスと相関づけることにより行われる。さらにチャネル評価出力は利用可能な中間文と１対１の時間的位置関係にある。
【００２２】
基地局と交信する移動局に対してそれぞれ割り振られる伝送パラメータを表すワードを伝送する、以下のステップを含む方法によって本発明のこれらの目的は達成される。
【００２３】
基地局から移動局へデータが伝送される場合、各伝送バーストで、すべての利用可能な中間文の間で選択される中間文の和から結果として生じる中間文を含み、選択された中間文が第１の値に等しい前記ワードの２進要素に対応し、非選択中間文が第２の値に等しい前記ワードの２進要素に対応するように、前記基地局によってワードと関係して前記選択が行われるステップと、
【００２４】
各移動局側において、すべての前記中間文の形成中に使用される基本中間文・コードに基づいて前記移動局が受信した信号をシーケンスと相関づけた後、ワードを考慮するステップであって、該ワードの要素が、前記利用可能な中間文にそれぞれ対応する評価値の時間的位置と１対１の関係にあり、対応する位置が基地局と移動局との間のチャネルの評価を含む場合には前記ワードは前記第１の値に等しく、対応する位置が基地局と移動局との間のチャネルの評価を含まない場合には前記ワードは前記第２の値に等しく、伝送対象のワードに等しい前記ワードによって、前記移動局が前記伝送パラメータに関する情報を得ることが可能になるステップを含む。
【００２５】
本発明のさらなる特徴によれば、前記基地局と交信する各移動局のデータは、前記移動局に対して割り振られる少なくとも１つの拡散符号によって拡散され、前記伝送パラメータは前記基地局と交信する移動局に対して割り振られる拡散符号である。
本発明のさらなる特徴によれば、伝送対象の前記ワードの各要素が所定のグループの拡散符号にそれぞれ対応する。伝送対象の前記ワードの各要素が１つの特定の拡散符号に対応することが望ましい。あるいは、伝送対象の前記ワードの各要素が拡散符号の形成に使用されるツリーのノードに対応することが望ましい。
【００２６】
本発明のさらなる特徴によれば、前記バーストはタイムスロットで伝送され、本発明はその他のタイムスロットから独立して各タイムスロットのバーストのために実行される。
本発明のこれらの目的と利点は、以下の図面に例示される好ましい実施の形態についての以下の詳細な記述を読んだ後当業者に明らかにされる。
【００２７】
【発明の実施の形態】
本発明は、基地局と交信する各移動局の信号の伝送パラメータについて記述するワードを形成するための中間文の利用を提案するものである。
【００２８】
中間文の構成は図３に示される。これらの中間文は同一タイムスロット内で伝送を行うユーザー特定のものである。これらはすべて同じ基本コードＢＭＣ(前記“基本中間文・コード”)から導き出される。基本中間文・コードＢＭＣはブロックＢを形成するためにそれ自身と連鎖する。各特定中間文ｍ(i)(ｋ人のユーザーについてｉ＝１〜ｋ)は所定のウィンドウに属するブロックＢの要素だけを保持することにより基本中間文・コードＢＭＣから導き出される。特定の中間文ｍ(i)に対応するウィンドウは隣接ウィンドウに関してｐ個の要素だけシフトされる。
【００２９】
アップリンクで、基地局ＢＴＳが、特定のタイムスロットで伝送する各移動局に対する個々のチャネル評価を必要とするとき、各移動局ＭＳｉは他の中間文とは異なる中間文ｍ(i)を送信する。
【００３０】
基地局ＢＴＳが、各々中間文ｍ(i)を含む移動局ＭＳ１〜ＭＳｋによって伝送されるいくつかのバーストを受信するとき、基本中間文・コードＢＭＣに基づいて特別のシーケンスとの相関が行われ、同一タイムスロットであるか時間区分ウィンドウによるバーストを伝送するユーザーの各々に対するチャネル評価出力を行う。これは２つの中間文ｍ(2)とｍ(7)を送信する２つの移動局ＭＳ１とＭＳ２のケースが図４に示される。これらの２つのチャネル評価出力はＥ１とＥ２で示される。
【００３１】
従来技術によれば、ダウンリンクでは、一般に、特定のタイムスロット内のすべてのユーザーの信号用としてたった１つの中間文ｍ(j)が基地局ＢＴＳで使用される。その理由として、ダウンリンクでは、すべてのユーザーがたった１つのダウンリンク・チャネルを経験し例えば基地局ＢＴＳから自身への評価(推測)を行い、同一タイムスロットで伝送するその他のユーザーのチャネルを無視することが挙げられる。しかし２つ以上のチャネル評価が必要となるような状況では、基地局ＢＴＳで２つ以上の中間文を使用することができる。
【００３２】
図５は、ｋ個の移動局ＭＳ１〜ＭＳｋと交信する基地局ＢＴＳにおける本発明によるバーストＢの構成を示すものである。拡散符号の処理は本明細書の最初の部分に記載されているプロセスと同一である。各移動局ｉ用として意図されているデータｄｉを用いて拡散処理が実行され(１ｉで)、すべてのこのような拡散データは加算され(２０で)データ・フィールドＤ１とＤ２を形成する。
【００３３】
各移動局ｉに対応して、中間文Ｍ(i)が図３に示す上述の方法に従って形成される。ワードＷと関係するいくつかの中間文の選択を行うための選択ユニット３０が設けられる。ワードＷは、利用可能な中間文ｍ(i)の数と同数の要素ｗｉ(ｉ＝１〜ｋ)を持ち、ワードＷの１つの要素ｗｉが１つの中間文ｍ(i)に一義的に対応するようになされる。すなわち、第１の要素は第１の中間文に対応し、第２の要素は第２の中間文に対応する、など。
【００３４】
制御ユニット４０はワードＷを、このワードＷによって基地局ＢＴＳと交信する各移動局ＭＳ１〜ＭＳｋのいくつかの伝送パラメータが記述されるように形成する。
【００３５】
すべての選択された中間文は、バーストＢの一般中間文Ｍを形成するように加算ユニット５０で加算される。
【００３６】
移動局側(基地局ＢＴＳと交信している移動局の側)において、中間文形成のために使用される基本中間文・コードＢＭＣに基づく特別のシーケンスとの相関が行われる。その結果が図６に図示されている。図６では、基地局ＢＴＳの制御ユニット４０によって選択された各中間文ｍ(i)によって、この中間文ｍ(i)のシフトによる位置を持つ評価出力が行われる。特に、図６で、中間文ｍ(2)、ｍ(4)、ｍ(8)が制御ユニット４０によって選択され、３つの評価出力Ｅ１、Ｅ２、Ｅ３がそれぞれ第２の位置、第４の位置および第８の位置に現れる。
【００３７】
相関処理の結果として現れる評価出力Ｅ１、Ｅ２、Ｅ３は、唯一のダウンリンクＤＬと関係するために同一であることに留意されたい。
【００３８】
常に移動局側においてワードＷｒは以下のように構成される。所定の位置において、評価出力が現れるとき、第１の値に等しい２進情報(例えば１)が考慮され、評価出力が現れないとき、第２の値(例えば０)に等しい２進情報が考慮される。ワードＷｒはすべての位置に対応する２進情報の連続したものである。図６でワードＷｒを０１０１０００１と書くことができる。
【００３９】
ワードＷｒの各要素ｗｒｉが中間文Ｍ(i)に対応し、ワードＷの各要素ｗｉが同じ中間文ｍ(i)に対応するので、ワードＷｒはワードＷに等しいということが理解できる。したがって、ワードＷｒは、基地局ＢＴＳと交信し、ワードＷと同一タイムスロットで信号を伝送する移動局ＭＳ１〜ＭＳｋの各々の伝送パラメータを記述するものである。このようにして各ユーザーは(自分が使用しているパラメータ以外の)どの伝送パラメータ(拡散符号など)が現在のタイムスロットで現在使用されているかについて通知を受け、検出アルゴリズム用の入力としてこの情報を採用することができ、検出アルゴリズムのパフォーマンスと効率とを改善する。
【００４０】
ワードＷとＷｒとによって記述される伝送パラメータは、好ましくは、移動局ＭＳｉ用として、移動局が使用する拡散符号ａｉに関係する情報を表すものである。特定の中間文(ワードＷを示す)の存在／不在と、特定の拡散符号の存在／不在との間の関連付けが行われる。この関連付けは以下の説明で“関連付け規則”と呼ばれる。
【００４１】
拡散符号の生成は図７に従って説明される。コード・ツリー内の各レベルによって値Ｑ(Ｑ＝１、Ｑ＝２、Ｑ＝４など)によって示される拡散係数が定義される。拡散係数Ｑの各値に対して、また、ユーザーｋに対して、Ｑ個のチップを有し、同じレベルの他の拡散符号と直交するものとして拡散符号ａkQが定義される。
【００４２】
これらの拡散符号は、以下の規則を用いて同一タイムスロット内のユーザーに対して割り振られる。特定コードからツリーのルートへのパス上の、あるいは、特定コードより下のサブツリー内の他のコードがこのタイムスロットで使用されていない場合およびそのような場合に限り、タイムスロットでコードを使用することが可能である。これらの規則は、タイムスロット内の利用可能なコードの数が一般に固定的なものではなく、むしろ同一タイムスロット内のすべてのユーザー信号に割り振られる拡散符号と拡散係数の数に依存することを暗示する。
【００４３】
具体的には、上述のＣＤＭＡ-ＴＤＤシステムにおいて拡散係数Ｑ１６または１だけがダウンリンク時に許される。従って、唯１つの拡散符号
(例えばａ(k=1)Q=1)が１つのタイムスロット内で割り振られるか、ユーザーｋ＝１,・・・,１６について１６までの異なる拡散符号ａ(k)Q=16が割り振られるかのいずれかになる。
【００４４】
次に関連付け規則について説明する。利用可能な中間文の数が割り振られた拡散符号の数に等しい場合、関連付け規則は、所定の中間文の不在／存在が対応するタイムスロット内の所定の拡散符号の不在／存在に対応することである。
【００４５】
利用可能な中間文の数が拡散符号の数の偶数の約数の場合、関連付け規則は、所定の中間文の不在／存在は、利用可能な中間文の数に等しい拡散係数で共通ノードを持つ拡散符号の中の少なくとも１つの不在／存在に対応することである。
【００４６】
他のすべての場合、所定の中間文の不在／存在は、１グループの拡散符号を形成するためにまとめてグループ化された拡散符号の中の少なくとも１つの不在/存在に対応する。
【００４７】
たとえ移動局が現在１つのデータ・ビットも受信していなくても、また、たとえ何の拡散符号も対応するタイムスロット内で使用されていなくても、移動局によってチャネル評価を行うことが依然可能であることを保証するために、中間文を送信しないか、少なくともたった１つのデフォルトの中間文を送信するかのいずれかが行われる。いずれの場合にも移動局は何の検出アルゴリズムも実行しない。
【００４８】
２つ以上のチャネルがダウンリンクで使用されるとき(例えば、２つまたはそれ以上のアンテナが使用されるとき)、起りうる中間文の量をチャネル間で等しく分割することができる。例えば、２つのチャネルを使用するとき、第１のチャネルによって、奇数番号の中間文ｍ(1)、ｍ(3)、ｍ(5)、・・・が独占的に使用され、さらに、第２のチャネルによって、中間文ｍ(2)、ｍ(4)、ｍ(6)、・・・が独占的に使用される。Ｗ−ＣＤＭＡ  ＤＤシステムでは、スイッチ・オン時の移動局は、ダウンリンクでの２つ以上のチャネルの最終的使用について常にネットワークによって通知を受ける。
【００４９】
ＤＬタイムスロットに拡散符号ａ(k=1)Q=1を持つたった１人のユーザーしか存在しない場合、ユーザー自身が自分がたった一人であることを知っているのでいかなるあいまいさも存在しない。
【００５０】
次に、中間文・タイプの異なる起りうるケースと、これら中間文を持つｋ人の可能性のあるユーザーとに対する、ＣＤＭＡ  ＴＤＤシステム内での異なる関連付け規則の提案が行われる。
【００５１】
Ｗ−ＣＤＭＡ  ＴＤＤシステムでは、２つのタイプの中間文すなわち長い中間文(前記タイプ１の中間文)と、短い中間文(前記タイプ２の中間文)とが存在する。一般に、タイムスロット内のユーザー指定の長い中間文または短い中間文を導き出すために、異なる基本中間文・コードが異なるセルによって使用される。ユーザー毎の利用可能なチャネル評価ウィンドウの長さはユーザーの数によって影響を受け、(例えばタイムスロット毎にシフトし)また逆に、ユーザーの数はユーザー毎の利用可能なチャネル評価ウィンドウの長さによって影響を受ける。基本的には、以下のパラメータはＷＣＤＭＡ  ＴＤＤシステムで有効である。長い中間文が８あるいは１６までの異なるユーザーを許容する場合と、短い中間文が３または６までの異なるユーザーを許容する場合。
【００５２】
ＷＣＤＭＡ  ＴＤＤシステム内での特定の関連付け規則の例を以下に示す。
【００５３】
基本中間文・コードから中間文を導き出すために１６個の中間文が認められる中間文タイプ１の場合が図８に示されている。この場合、１６個の起りうる中間文の中の１つによって、拡散係数１６を持つ１６個の起りうる拡散符号の各々を示すことが可能であることがわかる。図８では、×印でマークされている拡散符号ツリー内の各ノードが１つの中間文に相当する。
【００５４】
例えば、タイムスロットに対して割り振られたユーザーが拡散符号ａ(k=2)Q=16、ａ(k=5)Q=16、ａ(k=9)Q=16を使用する場合、ダウンリンクでのチャネル評価用として中間文ｍ(2)、ｍ(5)、ｍ(9)が伝送され、同時に上述の拡散符号の存在が示される。
【００５５】
図８に示される関連付け規則が、拡散符号とシフトとの間のすべての可能なマッピング方式の中の唯一の規則(最も単純な規則)であることに留意されたい。
【００５６】
基本中間文・コードから中間文を導き出すために８個の中間文が認められる中間文・タイプ１のケースが図９に示されている。この場合、拡散係数１６を持つ１６個の起りうる拡散符号を８個の起りうる中間文の１つによってペアで示すことができるということがわかる。この場合細分性は２であると言われる。図９で、×印でマークされる拡散係数８でツリー内の８個のノードの各々が８個の起りうる中間文の中の１つに相当する。
【００５７】
例えば、タイムスロットに対して割り振られたユーザーが拡散符号ａ(k=2)Q=16、ａ(k=5)Q=16、ａ(k=9)Q=16を使用する場合、ダウンリンクでのチャネル評価用として中間文ｍ(1)、ｍ(3)、ｍ(5)が伝送され、同時に上述の拡散符号の存在が示される。細分性２を用いても、タイムスロット内の使用された拡散係数に関する情報が上記方式によって依然として検出アルゴリズムに与えられる。
【００５８】
基本中間文・コードから中間文を導き出すために６個の中間文が認められる中間文・タイプ２のケースが図１０に図示されている。この場合、拡散係数１６を持つ１６個の起りうる拡散符号のうちの８個の拡散符号が一対でグループ化され、４個の中間文ｍ(1)、ｍ(2)、ｍ(4)、ｍ(5)に対応し、その他の８個の拡散符号は４個ずつグループ化され、２つの中間文ｍ(3)とｍ(6)とに対応するということがわかる。この場合、細分性は２と４に等しい。
【００５９】
例えば、タイムスロットに対して割り振られたユーザーが拡散符号ａ(k=2)Q=16、ａ(k=5)Q=16、ａ(k=9)Q=16を使用する場合、ダウンリンクでのチャネル評価用として中間文ｍ(1)、ｍ(3)、ｍ(4)が伝送され、同時に上述の拡散符号の存在が示される。この場合の細分性は４に等しくなる。
【００６０】
この特別なケースの関連付け規則を示す別の例は、利用可能な６個の中間文のうちの４個の中間文だけを用いて、拡散係数４に対応する４個のノードを示す。
【００６１】
細分性２と４をそれぞれ用いても、タイムスロットでの使用拡散係数に関する貴重な情報が上記方式によって依然として与えられる。
【００６２】
基本中間文・コードから中間文を導き出すために３つの中間文が認められる中間文・タイプ２のケースが図１１に図示されている。この場合、１０個の拡散符号が５個のコードから成る２つのグループにグループ化されるということがわかる。これらは２個の中間文ｍ(1)とｍ(2)に相当し、残りの６個の中間文が１つのグループを形成し、これが第３の中間文Ｍ(3)に相当する。
【００６３】
この最後の例の細分性は５と６である。
【００６４】
【発明の効果】
本発明の利点として、いずれの場合にも本発明によって拡散符号の間でいわゆるブラインド拡散符号検出を行わなければならない拡散符号の数を減らすことが挙げられる。例えば、８個の中間文が起こりうる中間文・タイプ１については、ブラインド拡散符号検出は１６個のコードの代わりに２つのコードだけで行なえばよい。
【００６５】
ネットワークと移動局側でのベースバンド処理の複雑さはごくわずかだが増加する。特に、Ｗ−ＣＤＭＡ  ＴＤＤシステムでは移動局側と基地局側とにおいてｋ個までの中間文の処理能力が常に実現されるであろう。
【図面の簡単な説明】
【図１】図１は本発明が適用される移動局用の通信システムのアップリンクとダウンリンクを例示する図、
【図２】図２は通信システムの基地局におけるバーストの構成を例示する図、
【図３】図３は通信システムにおける中間文の構成を例示する図、
【図４】図４は通信システムの移動局側で行われる相関処理の結果の一例を示す図、
【図５】図５は本発明による方法を実行するための通信システムの基地局におけるバーストの構成を示す図、
【図６】図６は本発明による方法を実行するための通信システムの移動局側で行われる相関処理の結果の一例を示す図、
【図７】図７は通信システムにおける拡散符号の構成を例示する図、
【図８】図８は本発明による関連付け規則の例を示す図、
【図９】図９は本発明による関連付け規則の例を示す図、
【図１０】図１０は本発明による関連付け規則の例を示す図、
【図１１】図１１は本発明による関連付け規則の例を示す図である。
【図１】
0004642308.tif 000002
【図２】
0004642308.tif 000003
【図３】
0004642308.tif 000004
【図４】
0004642308.tif 000005
【図５】
0004642308.tif 000006
【図６】
0004642308.tif 000007
【図７】
0004642308.tif 000008
【図８】
0004642308.tif 000009
【図９】
0004642308.tif 000010
【図１０】
0004642308.tif 000011
【図１１】
0004642308.tif 000012